(57)【要約】【課題】  フィルタ装置に付着した粉塵を容易に落とすことができる集塵機を提供する。【解決手段】  モータ４と、集塵ファン５と、これらを収容するハウジング２と、ハウジング２に取り付けられるフィルタ装置７と、フィルタ装置７を覆うようにハウジング２に着脱可能に設けられ、集塵ファン５により吸引した粉塵をフィルタ装置７との間に貯めるダストケース３を有する集塵機１において、ダストケース３の内壁にフィルタ装置７と接触する突起９を設けた。突起９は、ダストケース３をハウジング２から着脱する際にフィルタ装置７と接触しながら相対的に移動するように構成され、ダストケース３を着脱するだけで、フィルタ装置７に付着した粉塵を除去することができる。【選択図】図１
2010264408.tif 000002
【特許請求の範囲】
【請求項１】
モータと、前記モータにより回転される集塵ファンと、前記モータ及び前記集塵ファンを収容するハウジングと、前記ハウジングに取り付けられるフィルタ装置と、前記フィルタ装置を覆うように前記ハウジングに着脱可能に設けられ、前記集塵ファンにより吸引した粉塵を前記フィルタ装置との間に貯めるダストケース、を有する集塵機であって、
前記ダストケースに、前記フィルタ装置と接触させる係合部を設け、
前記係合部は、前記ダストケースを前記ハウジングから着脱する際に前記フィルタ装置と接触しながら相対的に移動することを特徴とする集塵機。
【請求項２】
前記係合部は、前記ダストケースの内壁から半径方向内側及び軸方向に延在するリブ状の部材であることを特徴とする請求項１に記載の集塵機。
【請求項３】
前記係合部は、前記ダストケースの内側に複数設けられることを特徴とする請求項１又は２に記載の集塵機。
【請求項４】
前記係合部は、前記ダストケースの内側に等間隔で設けられることを特徴とする請求項３に記載の集塵機。
【請求項５】
前記フィルタ装置は前後方向の断面形状が円筒状であり、前記フィルタ装置の外周面において前記係合部に当接することを特徴とする請求項４に記載の集塵機。
【請求項６】
前記フィルタ装置に変形可能な凹凸部を設け、前記係合部を前記凹凸部に接触しながら移動させることを特徴とする請求項１〜５のいずれか一項に記載の集塵機。
【請求項７】
前記凹凸部は蛇腹状に形成されることを特徴とする請求項６に記載の集塵機。
【請求項８】
前記ハウジングの前記ダストケースが取り付けられる側とは反対の側に蓄電池を取り付け、
前記ハウジングに、作業者が把持するためのグリップ部を設けたことを特徴とする請求項１〜７のいずれか一項に記載の集塵機。
【請求項９】
前記フィルタ装置は、前記ハウジングより突出するように取り付けられることを特徴とする請求項１〜８のいずれか一項に記載の集塵機。
【請求項１０】
前記ハウジングには雄ねじが設けられ、前記ダストケースには雌ねじが設けられることを特徴とする請求項１〜９のいずれか一項に記載の集塵機。
【発明の詳細な説明】
【技術分野】
【０００１】
本発明は集塵機に関し、特に、フィルタ装置に付着した粉塵を容易に落とすことができるように改良した集塵機に関する。
【背景技術】
【０００２】
従来の集塵機は、ハウジング内部にモータとモータの駆動により回転する集塵ファンを内蔵し、ハウジングの前方には集塵ファンの回転により吸引した粉塵等を溜めるダストケースがハウジングにねじ込み構造により着脱可能に配置される。ダストケースには粉塵等を吸引するための吸込口と、吸込口から吸引した粉塵等の逆流を防ぐ弁が設けられる。ハウジングの上部にはモータを起動、停止するためのスイッチが配置される。ダストケース内部には、吸引した粉塵等を濾過するための袋状の濾材と、袋状の濾材を固着するための弾性体からなる枠部材とで構成されるフィルタ装置が着脱可能に配置される。
【０００３】
上記構造において、スイッチを入れてモータを起動すると、集塵ファンが回転し吸引力が発生する。作業者が集塵作業を開始すると、吸込口から吸引された粉塵等はフィルタ装置の濾材表面に付着し、大きいゴミはダストケース内に脱落する。さらに集塵作業を継続すると、濾材全体が粉塵で覆われて空気がフィルタ装置を通過しにくくなり、吸引力が低下する。その場合、作業者はハウジングからダストケースを取り外し、ダストケース内の粉塵を廃棄する。またフィルタ装置の濾材に付着した粉塵を労力をかけて手作業で除去していた。
【０００４】
フィルタ装置の濾材に付着した粉塵を容易に取り除く方法として、特許文献１に開示された方法が知られている。これは、フィルタ装置の濾布に設けた山部と係合する除じん子をフィルタ装置の内周側に設け、除じん子を回転部材によって保持する。そして回転部材を回転させることによって、除じん子をフィルタ装置の濾布面（内面）に接触させる。除じん子の回転はフィルタ装置がダストケースに組み込まれている状態のまま行われる。除じん子を回転させることにより、除じん子が濾布内面の山部をはじくため、フィルタ装置の外面に付着した粉じんを払い落とすことができる。除じん子は３６０度全周回転できるように構成されるため、濾布の内面に形成された山部を全周にわたり直接はじくことができる。
【先行技術文献】
【特許文献】
【０００５】
【特許文献１】特開２０００−２３７５１９号公報
【発明の概要】
【発明が解決しようとする課題】
【０００６】
上述した特許文献１による方法では、フィルタ装置に付着した粉塵を効果的に除去することができるものの、フィルタ装置の内部に回転部材を配置する必要があり、フィルタ装置の径が必然的に大きくなってしまう。従って、特許文献１で開示したような床置き式の大きめな集塵機においては容易に適用できるものの、片手で把持して操作するような携帯型の集塵機においては、フィルタ装置の大きさが小さいため、そのような除去機構を設けることは難しい。
【０００７】
また、そのような除去機構を設けると重量増加の原因となるため、携帯型の集塵機においては操作性悪化の原因となる。そのため、携帯型の集塵機においては、ダストケース内に溜まった粉塵等を捨てる際に、フィルタ装置の濾材表面に付着した粉塵をエアーブローしたり、濾材表面を軽くたたいたりして労力をかけて除去していたのが現状である。
【課題を解決するための手段】
【０００８】
本発明は上記背景に鑑みてなされたもので、その目的は、フィルタ装置に付着した粉塵を容易に落とすことができる集塵機を提供することにある。
【０００９】
本発明の他の目的は、ダストケースを本体側ハウジングから取り外すだけでフィルタ装置に付着した粉塵を容易に落とすことができる集塵機を提供することにある。
【００１０】
本発明のさらに他の目的は、集塵機の重量増加やコスト上昇を抑え、簡単な構造でフィルタ装置に付着した粉塵の除去機能を実現できる集塵機を提供することにある。
【００１１】
本願において開示される発明のうち、代表的なものの特徴を説明すれば、次の通りである。
【００１２】
本発明の一つの特徴によれば、モータと、モータにより回転される集塵ファンと、モータ及び集塵ファンを収容するハウジングと、ハウジングに取り付けられるフィルタ装置と、フィルタ装置を覆うようにハウジングに着脱可能に設けられ、集塵ファンにより吸引した粉塵をフィルタ装置との間に貯めるダストケース、を有する集塵機において、ダストケースにフィルタ装置と接触させる係合部を設け、ダストケースをハウジングから着脱する際に係合部をフィルタ装置と接触しながら相対的に移動させるように構成した。
【００１３】
本発明の他の特徴によれば、係合部は、ダストケースの内壁から半径方向内側及び軸方向に延在するリブ状の部材とした。係合部は、ダストケースの内側に複数設けられ、ダストケースの内側に円周方向に等間隔で設けられる。また、フィルタ装置は前後方向の断面形状が円筒状であり、フィルタ装置の外周面において係合部に当接するように構成した。またフィルタ装置の濾材をプリーツ折り（蛇腹形状）した円筒形状としても良い。
【００１４】
本発明のさらに他の特徴によれば、フィルタ装置に変形可能な凹凸部を設け、係合部を凹凸部に接触しながら移動させるように構成した。凹凸部は蛇腹状に形成されると好ましい。ハウジングのダストケースが取り付けられる側とは反対の側に蓄電池が取り付けられる。また、ハウジングには作業者が把持するためのグリップ部が設けられる。フィルタ装置は、ハウジングより突出するように取り付けられ、ハウジングには雄ねじが設けられ、ダストケースには雌ねじが設けられる。
【発明の効果】
【００１５】
請求項１の発明によれば、ダストケースに、フィルタ装置と接触させる係合部を設け、係合部は、カバーをハウジングから着脱する際にフィルタ装置と接触しながら相対的に移動するので、ダストケースを着脱するだけでフィルタ装置に付着した粉塵を除去することができる。
【００１６】
請求項２の発明によれば、係合部は、ダストケースの内壁から半径方向内側及び軸方向に延在するリブ状の部材であるので、簡単な構造でフィルタ装置に付着した粉塵を除去する機構を実現することができる。
【００１７】
請求項３の発明によれば、係合部は、ダストケースの内側に複数設けられるので、合成樹脂などによりダストケースと一体成型で製造することができる。また、係合部を設けることにより、ダストケースの剛性を高めることができる。
【００１８】
請求項４の発明によれば、係合部は、ダストケースの内側に等間隔で設けられるので、フィルタ装置の広範囲にわたってまんべんなく粉塵を除去することができる。
【００１９】
請求項５の発明によれば、フィルタ装置は前後方向の断面形状が円筒状であり、フィルタ装置の外周面において係合部に当接するので、フィルタ装置の断面積を大きくとることができるとともに、外周面に付着した粉塵を効果的に除去することができる。
【００２０】
請求項６の発明によれば、フィルタ装置に変形可能な凹凸部を設け、係合部を凹凸部に接触しながら移動させるので、簡単な構成にてフィルタ装置を振動させることができ、この振動によって効果的に粉塵を除去することができる。
【００２１】
請求項７の発明によれば、凹凸部は蛇腹状に形成されるので、接触時の振動を大きくすることができ、粉塵の除去効率をさらに向上させることができる。
【００２２】
請求項８の発明によれば、ハウジングのダストケースが取り付けられる側とは反対の側に蓄電池が取り付けられ、ハウジングには作業者が把持するためのグリップ部を設けたので、重量バランスの良く使いやすい集塵機を実現できる。
【００２３】
請求項９の発明によれば、フィルタ装置はハウジング側から突出するように取り付けられるので、ダストケースにフィルタ装置を取り付ける必要がない。そのため、粉塵除去のための係合部をダストケースに形成することができる。
【００２４】
請求項１０の発明によれば、ハウジングには雄ねじが設けられ、ダストケースには雌ねじが設けられるので、簡単な構成にてダストケースをハウジングに着脱可能とすることができる。
【００２５】
本発明の上記及び他の目的ならびに新規な特徴は、以下の明細書の記載及び図面から明らかになるであろう。
【図面の簡単な説明】
【００２６】
【図１】本発明の実施例に係る集塵機の側面図であり、前側約半分は断面図を示す。
【図２】図１のダストケース３の断面図である。
【図３】ダストケース３の背面図である。
【図４】図１のＡ−Ａ部の断面図である。
【図５】ハウジング２とダストケース３の連結状態を説明するための図であり、これら連結部分の上面図である。
【図６】ハウジング２とダストケース３の連結後の状態を説明するための図であり、連結部分の上面図である。
【図７】本発明の第二の実施例に係る集塵機のダストケース３部分の断面図である。
【図８】図７のＢ−Ｂ部の断面図である。
【図９】第２の実施例に係るハウジング３２とダストケース３３の連結状態を説明するための図であり、これら連結部分の上面図である。
【図１０】第２の実施例に係るハウジング３２とダストケース３３の連結後の状態を説明するための図であり、連結部分の上面図である。
【発明を実施するための形態】
【実施例１】
【００２７】
本発明の実施例について図面を用いて説明する。尚、本明細書において、前後、上下の方向は図１中の矢印で示す方向を指すものとして説明する。
【００２８】
図１は本発明の実施例に係る集塵機１の側面図であり、前側約半分は断面図である。集塵機１は、大きく分けて、モータ４を収容するハウジング２と、ハウジング２の前方側に取り付けられるダストケース３により構成される。本実施例の集塵機１は、片手で本体を持ちながら集塵作業を行う、いわゆる携帯型であり、ハウジング２には、グリップ部２ａが形成される。ハウジング２の内部には、モータ４と、モータ４の回転軸に取り付けられた集塵ファン５が収容される。
【００２９】
モータ４は、例えば直流モータであり、ハウジング２の後方に取り付けられた蓄電池８を電源とする。モータ４の回転は、ハウジング２の上部に設けられたスイッチ１５によりＯＮ／ＯＦＦされる。
【００３０】
ハウジング２の前方側には、集塵ファン５の回転により吸引した粉塵等を溜めるためのダストケース３が着脱可能に取り付けられる。ダストケース３の着脱構造は任意であるが、例えばねじ込み構造にして、ダストケース３をハウジング２に対して４５度程度回すことにより固定する構造とすると良い。また、その他の公知の着脱構造を用いても良いが、本実施例においては、ハウジング２に対して、ダストケース３を相対的に回転させて取り付ける構造であると好ましい。
【００３１】
ダストケース３の前方側には、粉塵等を吸引するための吸込口３ａが形成され、吸込口３ａの内部側の開口には、外部から吸引した粉塵等の逆流を防ぐための弁６が設けられる。ダストケース３の内部にはフィルタ装置７が収容される。フィルタ装置７は、略円筒形であり、円筒形の外周面から内周側に向けて空気を通し、軸方向の一方側から集塵ファン４の方向に空気が流れる。フィルタ装置７は、吸引した粉塵等を濾過するための袋状の濾材７ａと、袋状の濾材７ａを内周面で固着するための枠部材７ｂを含んで構成され、ダストケース３側でなく、ハウジング２側に着脱可能に取り付けられる。
【００３２】
ハウジング２の前方側であって、ダストケース３の取り付け面の中央付近には、フィルタ装置７の装着部が形成される。装着部の中央付近には前方に突出する円筒形の取付部１１が形成され、その周囲にはフィルタ装置７の半径方向に延びるフランジ７ｃを固定する嵌合部１３が形成される。取付部１１の前方側の中央部分には円形の穴が形成され、この穴がフィルタ装置７に形成された排気穴と密接する。フィルタ装置７の後方側の上下端に形成されたフランジ７ｃが嵌合部１３に嵌合する。取付部１１の後方側には集塵ファン５が配置されるが、集塵ファン５としては、前方中央部から空気を吸引して、外周側に排出する遠心ファンを用いることができる。集塵ファン５によって吸い込まれた空気を、ハウジング２の内部空間から外部に排出するために、ハウジング２には複数の風窓１４が形成される。
【００３３】
スイッチ１５を操作しモータ４を起動させることで集塵ファン５が回転し、ダストケース３内に吸引力が発生することにより、粉塵等を含んだ空気がダストケース３の吸込口３ａから吸引される。ダストケース３内に吸引された粉塵等を含んだ空気はフィルタ装置７で濾過される。この濾過の際、粉塵等はフィルタ装置７の外周面に付着したままとなり、あるいは、フィルタ装置７から離れてダストケース３内に滞留する。濾過された空気のみがフィルタ装置７を通り抜けて集塵ファン５側に流れ、ハウジング２に設けられた風窓１４から外部へ排出される。
【００３４】
図２は本発明の実施例に係るダストケース３の断面図である。ダストケース３の内側には、ダストケース３をハウジング２に対して相対的に回転させて着脱する際に、フィルタ装置７の枠部材７ｂ（図４参照）に当接するような突起９が形成される。突起９は、ダストケース３の内周側であって、フィルタ装置７の軸方向（前後方向）の中央部約１／３の長さ程度の部分と接触するもので、本実施例では円周方向に９０度隔てた４箇所に設けられる。ダストケース３は、例えばプラスチックの一体成型により構成され、本実施例では突起９はダストケース３と一体に成型される。このように、突起９をダストケース３と一体に成型すれば、強度的に有利であり、また突起９を設けた事による重量増加も最小に抑えることができる。
【００３５】
図３は、ダストケース３を後方から（モータ４側から見た）背面図である。図３から突起９の配置関係と、半径方向の長さの関係が理解できるであろう。尚、上下の２箇所において形成される軸方向と垂直な面に延びる小さな突起３ｃは、ハウジング２に設けられる溝２ｃ（図５参照）と係合し、ねじ込み構造によりダストケース３をハウジング２に装着するためのものである。この着脱構造については後述する。
【００３６】
図４は、図１のＡ−Ａ部の断面図である。図４において、ダストケース３の内側に形成された突起９は、ダストケース３をハウジング２に取り付けた際に濾材７ａに接触する程度に、内周方向に延在する。また、突起９は枠部材７ｂとは円周方向に隣接するような配置関係となる。ダストケース３を回転させた際には、突起９もダストケース３と共に回転するため、突起９はフィルタ装置７の枠部材７ｂに当接する。当接した状態からダストケース３を更に回転させることで、フィルタ装置７の枠部材７ｂがダストケース３内側の突起９により円周方向へ捩れて内周方向に変形し、突起９が枠部材７ｂを乗り越えた際に弾かれるように初期形状に戻る。この変形と戻る状態が起こることでフィルタ装置７が振動し、濾材７ａに付着堆積した粉塵等の除塵が可能となる。この除去作用は、作業者は何ら意識することなく、ただダストケース３をハウジング２に装着又は取り外すだけで良いので、粉塵を容易に落とすことができる集塵機を実現できる。
【００３７】
図５、６は、ハウジング２とダストケース３の連結状態を説明するための連結部分の上面図である。これらの連結は例えば「ねじ嵌合」によって実現できる。ハウジング２の開口部２ｂの外周側には、上から見たときにＬ字状の溝２ｃが形成される。溝２ｃは、開口部２ｂの開口面から、軸方向（前後方向）に延び、その延びた先から円周方向に延びる。円周方向の溝の長さは、例えば回転角にして４５度程度であり、さらに先端の溝の巾が細くなるように形成される。図５の点線で示す突起３が溝２ｃに導かれる。尚、図５で認識できる取付部１１は、フィルタ装置７を装着するためのものであり、ダストケース３とハウジング２の取り付けには何ら作用しない。取付部１１には、前方の空気穴に加えて側方にも空気穴１２が形成される。これらの空気穴から集塵ファン５へと空気が流れる。
【００３８】
図６は、連結した状態を示す図であり、溝２ｃ内にダストケース３の突起３ｃが位置していることが理解できるであろう。突起３ｃの軸方向（前後方向）の幅は、溝２ｃの先端部の幅よりも広いので、溝の２ｃの先端に当接する前にダストケース３の回転が停止する。
【００３９】
以上説明したように、本実施例によればハウジング２にダストケース３をねじ込む等により着脱する集塵機において、フィルタ装置７の断面形状をほぼ円柱状に形成し、フィルタ装置の外周面に当接するよう伸延した突起９をダストケース３の内側の適所に、単数、あるいは複数形成した。このため、ダストケース３内の粉塵を捨てる場合、ねじ嵌合をはずすためダストケース３を回転させると、内部の突起９によりフィルタ装置７の濾材７ａが加振されて表面の粉塵が除去される。よって、濾材７ａの表面のエアーブローをしたり、たたいたりする除塵がほとんど不要になるので、作業性向上を図ることができる。
【実施例２】
【００４０】
次に図７、図８を用いて本発明の第２の実施例を説明する。図７は、本発明の第二の実施例に係る集塵機のダストケース３部分の断面図である。図７において、フィルタ装置１７の濾材１７ａをプリーツ折りされた円筒形状とした。この結果、プリーツ折りの襞の山部とダストケース３内側の突起９が円周方向で当接する。この状態で、ダストケース３を装着状態から離脱するまで回転させることで、プリーツ折りされた濾材１７ａがダストケース３内側の突起９により円周方向へ捩れて内周方向に変形する。ダストケース３の突起９が、濾材１７ａの山部を越えた際に弾かれるように初期形状に戻ることでフィルタ装置１７が振動する。この結果、フィルタ装置１７の濾材１７ａに付着堆積した粉塵等が良好に取り除かれる。フィルタ装置１７のハウジング２への取り付け方法は実施例１と同様であり、フィルタ装置１７のハウジング側には、半径方向に延びるフランジ１７ｄが形成される。
【００４１】
図８は、図７のＢ−Ｂ部の断面図である。図８から理解できるように、フィルタ装置１７は円周方向に複数回折り曲げられ、山部１７ｂと谷部１７ｃを有する襞が形成される。図８の例では、それぞれ２０の山部（外周側に突出している折り目）１７ｂと、谷部（内周側に突出している折り目）１７ｃが形成される。このようにフィルタ装置１７に襞を形成することにより、図４のような枠部材７ｂを用いることなく、吸引の際に形状が崩れにくく剛性の高いフィルタ装置１７を実現できる。
【００４２】
尚、第２の実施例においてはフィルタ装置１７以外の集塵機１側の構成については、第１の実施例と同一構成であり、何ら変更する必要はない。従って、同一の集塵機１を用いて、フィルタ装置７又はフィルタ装置１７のいずれかを利用することができる。
【００４３】
以上説明したように、第２の実施例によればフィルタ装置の濾材をプリーツ折り（蛇腹形状）した円筒形状にしたため、ダストケース内の粉塵を捨てる場合に、ダストケースを回転させて取り外すと、内部の突起によりフィルタ装置の濾材が加振され、表面の粉塵が効果的に除去される。また、フィルタ装置の断面形状をほぼ円柱状に形成し、濾材をプリーツ折り（蛇腹形状）としたので、ダストケース内側の突起による濾材への加振力がさらに強くなり、除塵効果が一層大きくなる。
【実施例３】
【００４４】
図９は、本発明の第３の実施例に係るハウジング３２とダストケース３３の連結状態を説明するための図である。図９は、これらの連結部分の上面図を示したものである。第１の実施例においては、回転角が約４５度のねじ込み構造としたが、本実施例においては回転角が１回転以上（３６０度以上）のねじ込み構造とした。このためハウジング３２の開口部３２ｂの外周側にはねじ山３２ｃが形成されており、ダストケース３３の開口部３３ｂの内周側にはねじ溝３３ｃが形成される。その他の構造については、取付部１１の構造も含め、第１の実施例と同一であるので説明を省略する。
【００４５】
第３の実施例によれば、ダストケース３３とハウジング３２を１回転以上のねじ込み構造としたので、剛性を高くすることができる。また、ダストケース３３のねじ込み回転角が大きくなるので、突起９がフィルタ装置に当接する範囲が大きくなるので、フィルタ装置の断面形状の除塵効果がより一層大きくなる。
【００４６】
以上、本発明を示す実施例に基づき説明したが、本発明は上述の実施例に限定されるものではなく、その趣旨を逸脱しない範囲内で種々の変更が可能である。例えば、ダストケース３の内部に突出する突起９は半径方向にだけ延びるのに限定されず、その他の任意の方向に延びるようにしても良い。例えば、ダストケース３の内壁の前方側から軸方向に延びるように突起を構成し、その突起がフィルタ装置の濾材の一部に当接するように構成しても良い。
【００４７】
さらに、ダストケース３の内部に延びる突起９を、軸方向と垂直方向に延びて円周方向に連続するリブ状の形状（円環部材）とし、ダストケース３をハウジング２から前方に引き離す際に、そのリブ状の部分がフィルタ装置７の外周に接触しながら移動するように構成しても良い。
【符号の説明】
【００４８】
１  集塵機      ２  ハウジング      ２ａ  （ハウジングの）グリップ部
２ｂ  （ハウジングの）開口部      ２ｃ  （ハウジングの）溝
３  ダストケース      ３ａ  （ダストケースの）吸込口
３ｂ  （ダストケースの）開口部      ３ｃ  （ダストケースの）突起          
４  モータ      ５  集塵ファン      ６  弁
７  フィルタ装置      ７ａ  （フィルタ装置の）濾材
７ｂ  （フィルタ装置の）枠部材      ７ｃ（フィルタ装置の）フランジ
８  蓄電池      ９  突起      １１  取付部      １２  空気穴
１３  嵌合部      １４  風窓      １５  スイッチ
１７  フィルタ装置      １７ａ  （フィルタ装置の）濾材
１７ｂ  （フィルタ装置の）山部      １７ｃ  （フィルタ装置の）谷部
１７ｄ  （フィルタ装置の）フランジ
３２  ハウジング      ３２ｂ  （ハウジングの）開口面
３２ｃ  （ハウジングの）ねじ山
３３  ダストケース      ３３ｂ  （ダストケースの）開口部
３３ｃ  （ダストケースの）ねじ溝
【図１】
2010264408.tif 000003
【図２】
2010264408.tif 000004
【図３】
2010264408.tif 000005
【図４】
2010264408.tif 000006
【図５】
2010264408.tif 000007
【図６】
2010264408.tif 000008
【図７】
2010264408.tif 000009
【図８】
2010264408.tif 000010
【図９】
2010264408.tif 000011
【図１０】
2010264408.tif 000012